(57)【要約】      （修正有）【課題】非筆記状態において、操作部が意図せず移動することを防止すると共に筆記状態から非筆記状態への切り替えの際にリフィルに加わる衝撃を最小限に抑える簡単な機構を備えたノック式筆記具を提供する。【解決手段】ノック式筆記具１が、軸筒４と、筆記体５と、筆記体を後方に付勢するスプリング６と、該軸筒の内面に設けられた突起部からなる複数の外カム２０と、前端面にカム面が形成された操作部３０と、内カムが外周面に設けられた回転子４０であって、後端面にカム面と相補的な形状のカム受け面が形成された回転子と、を具備し、筆記状態と非筆記状態とが切り替え可能であり、非筆記状態から筆記状態への切り替えにおいて、ノック操作の操作荷重が、操作部の移動量に比例しない。【選択図】図１
2018103631.tif 000002
【特許請求の範囲】
【請求項１】
軸筒と、
該軸筒内に配置された筆記体と、
該筆記体を後方に付勢するスプリングと、
該軸筒の内面に設けられた突起部からなる複数の外カムであって、前記突起部が前後方向に延在し且つ周方向に配置されて、前記複数の外カムの間に前後方向に延在するガイド溝が画成される外カムと、
前記ガイド溝内を前後方向に移動可能に構成された係止突起部が外周面に設けられた操作部であって、前端面にカム面が形成された操作部と、
前記ガイド溝内を前後方向に移動可能に構成された内カムが外周面に設けられた回転子であって、後端面に前記カム面と相補的な形状のカム受け面が形成された回転子と、
を具備し、
前記カム面が前記カム受け面を押圧することによって前記回転子が回転し、前記内カムが前記外カムと係合する筆記状態と前記内カムが前記ガイド溝内に収容される非筆記状態とが切り替え可能なノック式筆記具であって、
非筆記状態から筆記状態への切り替えにおいて、ノック操作の操作荷重が、前記操作部の移動量に比例しないことを特徴とするノック式筆記具。
【請求項２】
非筆記状態から筆記状態への切り替えにおいて、ノック操作の初動時に操作荷重が最大であることを特徴とする請求項１に記載のノック式筆記具。
【請求項３】
前記非筆記状態において、前記操作部の前記係止突起部が、前記外カムの前記突起部に設けられた被係止部と係止していることを特徴とする請求項１又は２に記載のノック式筆記具。
【請求項４】
前記被係止部が、周方向において、前記外カムの前記突起部の側面に形成された凹部であることを特徴とする請求項３に記載のノック式筆記具。
【請求項５】
前記凹部が、前記係止突起部の一部と相補的な形状であることを特徴とする請求項４に記載のノック式筆記具。
【請求項６】
前記凹部が、前記係止突起部を前記ガイド溝内へ案内する斜面を有することを特徴とする請求項４又は５に記載のノック式筆記具。
【請求項７】
前記操作部の全部又は一部が、当該ノック式筆記具の筆跡を消去可能な消去部であることを特徴とする請求項１乃至６のいずれか一項に記載のノック式筆記具。
【請求項８】
当該ノック式筆記具が熱変色性インクを有するノック式筆記具であり、前記消去部によって擦過した際に生じる摩擦熱によって前記熱変色性インクによる筆跡を熱変色可能であることを特徴とする請求項７に記載のノック式筆記具。
【発明の詳細な説明】
【技術分野】
【０００１】
本発明は、ノック式筆記具に関する。
【背景技術】
【０００２】
軸筒の後端部に操作部を有し、軸筒内に配置されたスプリングの付勢力に抗して操作部を前方に押圧するノック操作を行うことによって、リフィルのペン先である筆記部が軸筒の先端から突出した筆記状態と筆記部が軸筒内に没入した非筆記状態とが切り替えられる、いわゆるノック式の筆記具が公知である（例えば、特許文献１）。筆記状態と非筆記状態との切り替えに必要な操作部の押圧力の変化、すなわち操作荷重の変化は、スプリングのばね定数に依存する。したがって、操作部を前方に移動させると、その移動量に応じて移動に必要な操作荷重は線型に変化する。
【０００３】
特許文献１に記載の筆記具では、非筆記状態において、ノック体、すなわち操作部の操作荷重を従来よりも大きく設定することによって、意図せず筆記部が軸筒の先端から突出し、衣類のポケット等を汚してしまうことを防止している。
【先行技術文献】
【特許文献】
【０００４】
【特許文献１】特開平１１−７０７７９号公報
【発明の概要】
【発明が解決しようとする課題】
【０００５】
しかしながら、この操作荷重を大きく設定すると、意図せず筆記部が軸筒の先端から突出することは防止できるものの、筆記状態から非筆記状態への切り替えの際の衝撃によって、リフィル内のインク中に気泡が生じてしまう場合がある。すなわち、筆記状態から非筆記状態への切り替えの際に、リフィルは、スプリングの付勢力によって勢いよく後方へ移動し、その停止時に衝撃が加わる。リフィル内に、特に、粘度の低いインクや剪断減粘性インクを収容している場合には、その衝撃によってインクが後退し、筆記部よりリフィル中に空気が混入する可能性がある。この場合、インク中に気泡が生じ、筆記不良を引き起こす虞がある。
【０００６】
本発明は、非筆記状態において、操作部が意図せず移動することを防止すると共に筆記状態から非筆記状態への切り替えの際にリフィルに加わる衝撃を最小限に抑える簡単な機構を備えたノック式筆記具を提供することを目的とする。
【課題を解決するための手段】
【０００７】
本発明の一態様によれば、軸筒と、該軸筒内に配置された筆記体と、該筆記体を後方に付勢するスプリングと、該軸筒の内面に設けられた突起部からなる複数の外カムであって、前記突起部が前後方向に延在し且つ周方向に配置されて、前記複数の外カムの間に前後方向に延在するガイド溝が画成される外カムと、前記ガイド溝内を前後方向に移動可能に構成された係止突起部が外周面に設けられた操作部であって、前端面にカム面が形成された操作部と、前記ガイド溝内を前後方向に移動可能に構成された内カムが外周面に設けられた回転子であって、後端面に前記カム面と相補的な形状のカム受け面が形成された回転子と、を具備し、前記カム面が前記カム受け面を押圧することによって前記回転子が回転し、前記内カムが前記外カムと係合する筆記状態と前記内カムが前記ガイド溝内に収容される非筆記状態とが切り替え可能なノック式筆記具であって、非筆記状態から筆記状態への切り替えにおいて、ノック操作の操作荷重が、前記操作部の移動量に比例しないことを特徴とするノック式筆記具が提供される。
【０００８】
本発明の別の態様によれば、非筆記状態から筆記状態への切り替えにおいて、ノック操作の初動時に操作荷重が最大であることを特徴とするノック式筆記具が提供される。
【０００９】
本発明の別の態様によれば、前記非筆記状態において、前記操作部の前記係止突起部が、前記外カムの前記突起部に設けられた被係止部と係止していることを特徴とするノック式筆記具が提供される。
【００１０】
本発明の別の態様によれば、前記被係止部が、周方向において、前記外カムの前記突起部の側面に形成された凹部であることを特徴とするノック式筆記具が提供される。
【００１１】
本発明の別の態様によれば、前記凹部が、前記係止突起部の一部と相補的な形状であることを特徴とするノック式筆記具が提供される。
【００１２】
本発明の別の態様によれば、前記凹部が、前記係止突起部を前記ガイド溝内へ案内する斜面を有することを特徴とするノック式筆記具が提供される。
【００１３】
本発明の別の態様によれば、前記操作部の全部又は一部が、当該ノック式筆記具の筆跡を消去可能な消去部であることを特徴とするノック式筆記具が提供される。
【００１４】
本発明の別の態様によれば、当該ノック式筆記具が熱変色性インクを有するノック式筆記具であり、前記消去部によって擦過した際に生じる摩擦熱によって前記熱変色性インクによる筆跡を熱変色可能であることを特徴とするノック式筆記具が提供される。
【発明の効果】
【００１５】
本発明の態様によれば非筆記状態において、操作部が意図せず移動することを防止すると共に筆記状態から非筆記状態への切り替えの際にリフィルに加わる衝撃を最小限に抑える簡単な機構を備えたノック式筆記具を提供するという共通の効果を奏する。
【図面の簡単な説明】
【００１６】
【図１】本発明の実施形態による筆記具の非筆記状態の縦断面図である。
【図２】図１の筆記具の筆記状態の縦断面図である。
【図３】図１の筆記具の後軸の斜視図である。
【図４】図３の後軸の後端部分の拡大縦断面図である。
【図５】図１の筆記部の操作部の斜視図である。
【図６】図１の筆記具の回転子の斜視図である。
【図７】図１の筆記具のノック機構の非筆記状態から筆記状態への切り替えを示す模式図である。
【図８】ノック操作と操作部の操作荷重との関係を示す概念図である。
【図９】本発明の別の実施形態による筆記具の後軸の後端部分の拡大縦断面図である。
【図１０】本発明の別の実施形態による筆記具の操作部の斜視図である。
【図１１】操作部が消去部材を備えた態様を説明する筆記具の縦断面図である。
【図１２】操作部が別の消去部材を備えた態様を説明する筆記具の縦断面図である。
【発明を実施するための形態】
【００１７】
以下、図面を参照しながら本発明の実施の形態を詳細に説明する。全図面に渡り、対応する構成要素には共通の参照符号を付す。
【００１８】
図１は、本発明の実施形態によるノック式の筆記具１の非筆記状態の縦断面図であり、図２は、図１の筆記具１の筆記状態の縦断面図である。
【００１９】
筆記具１は、筒状に形成され且つ前軸２及び後軸３を備えた軸筒４と、軸筒４内に配置され且つ一端に筆記部５ａを備えた筆記体であるリフィル５と、リフィル５を後方へ付勢するスプリング６と、軸筒４の後端部、すなわち後軸３の後端部に配置されたノック機構１０とを有している。ノック機構１０は、外カム２０と、筒状に形成された操作部３０及び回転子４０とを有する。前軸２の前端部はテーパー状に形成され、リフィル５の筆記部５ａを突出させるための貫通孔２ａが形成されている。前軸２の後端部は、後軸３の前端部の内部に挿入されて螺合している。
【００２０】
なお、本明細書中では、筆記具１の軸線方向において、筆記部５ａ側を「前」側と規定し、筆記部５ａとは反対側を「後」側と規定する。また、筆記具１では、ノック機構１０によって、リフィル５が軸筒４内を前後方向に移動する。このとき、筆記部５ａが軸筒４内に没入した状態を非筆記状態（図１）と称し、筆記部５ａが軸筒４から突出した状態を筆記状態（図２）と称す。
【００２１】
図３は、図１の筆記具の後軸３の斜視図であり、図４は、図３の後軸３の後端部分の拡大縦断面図である。図３及び図４において、上方が筆記具１の前方である。後軸３の後端部の内面には、ノック機構１０の一部を構成する４つの外カム２０が周方向に等間隔に設けられている。隣接する２つの外カム２０によって、前後方向に延在する４つのガイド溝２１が画成されている。外カム２０の各々は、前後方向に延在し且つ周方向に連続して配置された第１突起部２２と第２突起部２３と第３突起部２４とから成る。中央に配置された第２突起部２３は、第１突起部２２及び第３突起部２４よりも薄い径方向の厚みを有する。したがって、第１突起部２２と第３突起部２４との間には、径方向の凹部が形成され、後述する操作部３０の係止突起部３１が、両端の第１突起部２２と第３突起部２４との間、すなわち、第２突起部２３の上に収容される。
【００２２】
外カム２０の周方向における側面には、被係止部として、周方向の凹部である被係止凹部２５が形成されている。すなわち、外カム２０の第３突起部２４のガイド溝２１に面した側面２４ａ、言い換えると、外カム２０において、後述するように回転子４０の回転方向とは逆側の側面２４ａの後方に、被係止凹部２５が形成されている。被係止凹部２５の前側の内面は、前後方向に対して垂直な平面に対して、周方向に傾斜した被係止斜面２６が形成されている。また、被係止凹部２５は、第３突起部２４の側面２４ａと平行な底面、すなわち第３突起部２４の側面２７が形成されている。したがって、被係止斜面２６は、第３突起部２４の側面２４ａとこれに平行な被係止凹部２５の側面２７とを接続する斜面である。
【００２３】
図５は、図１の筆記部の操作部３０、いわゆるノック棒の斜視図である。図５において、上方が筆記具１の前方である。操作部３０の前側の外周面には、８つの係止突起部３１が周方向に等間隔に設けられている。係止突起部３１の各々は、ノック操作によって、外カム２０内、より具体的には第１突起部２２と第３突起部２４との間の凹部内、又は、外カム２０間のガイド溝２１内を前後方向に移動するように構成されている。また、操作部３０の前端面にはカム面３２が形成されている。カム面３２は８つの山部３３及び谷部３４を有する。なお、本明細書におけるノック操作とは、中断することなく操作部３０を押圧し続ける一連の動作をいう。
【００２４】
係止突起部３１は、その前端面が、前後方向に対して垂直な平面に含まれるように形成されているが、その一部には、前端面に対して周方向に傾斜した係止斜面３５が形成されている。すなわち、係止突起部３１の前端面において、後述するように回転子４０の回転方向とは逆側の後方部分に、係止斜面３５が形成されている。
【００２５】
図６は、図１の筆記具の回転子４０の斜視図である。図６において、上方が筆記具１の前方である。回転子４０は、操作部３０内に挿入されて芯合わせに使用される小径部４１と、小径部４１の前方に配置された大径部４２とから成る。大径部４２は小径部４１よりも大きな直径を有する。大径部４２の後端面には、操作部３０のカム面３２と相補的な形状のカム受け面４３が形成されている。カム受け面４３は操作部３０のカム面３２と同様に８つの山部４４及び谷部４５を有する。大径部４２の外周面には、前後方向に延在する４つの内カム４６が周方向に等間隔に設けられている。内カム４６は、ノック操作によって回転子４０が周方向に回転すると、外カム２０と係合し又は外カム２０間のガイド溝２１内に収容される。内カム４６が外カム２０間のガイド溝２１内に収容されるとき、外カム２０は内カム４６間の溝４７内に収容される。
【００２６】
操作部３０のカム面３２及び回転子４０のカム受け面４３は、内カム４６が外カム２０と係合し又は外カム２０間のガイド溝２１内に収容されるとき、カム面３２の山部３３が、周方向において、カム受け面４３の隣接する山部４４と谷部４５との間の斜面上に位置するように構成されている。このため、ノック操作によってカム面３２の斜面がカム受け面４３の斜面を押圧すると、この操作荷重及びスプリング６による付勢力に起因し、回転子４０は周方向の分力を受けて周方向に回転する。一方、操作部３０は、係止突起部３１が外カム２０の第１突起部２２又は第３突起部２４に周方向に当接することによって周方向の回転が規制される。
【００２７】
図７は、図１の筆記具１のノック機構１０の非筆記状態から筆記状態への切り替えを示す模式図である。すなわち、図７は、外カム２０と操作部３０と回転子４０との位置関係を示す模式図であり、外カム２０を周方向に展開したものに対して、操作部３０の係止突起部３１及び回転子４０の内カム４６の位置を示したものである。図中、上方が筆記具１の前方であり、下方が筆記具１の後方である。回転子４０は、上述した操作部３０のカム面３２と回転子４０のカム受け面４３とのカム機構によって回転力を与えられ、ノック操作毎に図の左から右へ移動する。なお、図７では、便宜上、外カム２０の第１突起部２２と第２突起部２３と第３突起部２４とは一体的に示され、第１突起部２２と第３突起部２４との間の凹部に収容される操作部３０の係止突起部３１は省略されている。
【００２８】
図７（ａ）は、筆記具１の非筆記状態におけるノック機構１０の模式図である。このとき、リフィル５を介してスプリング６によって後方に付勢された回転子４０の内カム４６は、外カム２０間のガイド溝２１内に収容されている。したがって、この状態では、筆記部５ａが軸筒４内に没入している。また、操作部３０の係止突起部３１は、外カム２０間のガイド溝２１内に収容されている。操作部３０のカム面３２と回転子４０のカム受け面４３とは噛合している。すなわち、カム面３２の山部３３及び谷部３４とカム受け面４３の谷部４５及び山部４４とが、それぞれ一致している。
【００２９】
また、操作部３０の係止突起部３１は、外カム２０の被係止凹部２５内に収容されることによって、前後方向の移動に対して被係止凹部２５と係止し、それによって、操作部３０は、外カム２０と係止している。すなわち、外カム２０の被係止凹部２５は、操作部３０の係止突起部３１の一部と略相補的な形状に形成されている。より具体的には、この状態で、操作部３０の係止突起部３１の係止斜面３５と外カム２０の被係止凹部２５の被係止斜面２６とは、当接している。したがって、操作部３０の係止突起部３１が、外カム２０の被係止凹部２５の外に出ようとする方向の力に対しては、係止斜面３５と被係止斜面２６との間の摩擦力が作用する。また、操作部３０のカム面３２と回転子４０のカム受け面４３とは、噛合していることから、操作部３０の係止突起部３１が、外カム２０の被係止凹部２５の外に出ようとする方向の力に対しては、カム面３２及びカム受け面４３の斜面を介して反対方向の周方向の分力が作用する。
【００３０】
図７（ｂ）は、図７（ａ）の状態から操作部３０を押圧し、操作部３０と外カム２０との係止が解除されたときのノック機構１０の模式図である。すなわち、操作部３０の操作荷重が、係止斜面３５と被係止斜面２６との間の摩擦力及び上述した周方向の分力等の対抗力を上回ったとき、操作部３０が僅かばかり周方向に回転し、操作部３０の係止突起部３１と外カム２０の被係止凹部２５との係止が解除される。この操作部３０の周方向の回転は、操作部３０の係止斜面３５が外カム２０の被係止斜面２６に沿ってガイド溝２１内に案内させることによって生じる。
【００３１】
その後、操作部３０回転子４０は、主にスプリング６の付勢力に抗して前進し、このとき、操作部３０の係止突起部３１及び回転子４０の内カム４６は、ガイド溝２１内を前方に移動する。また、操作部３０及び回転子４０は、カム面３２及びカム受け面４３の斜面を介して互いに反対方向の周方向の分力を受けているが、外カム２０の第１突起部２２及び第３突起部２４の側面によって、周方向の移動が規制されている。
【００３２】
図７（ｃ）は、操作部３０及び回転子４０がさらに前進しているときのノック機構１０の模式図である。操作部３０及び回転子４０がさらに前進すると、内カム４６の後端部が前後方向において外カム２０の前端部、すなわち第１突起部２２を越える。このとき、カム面３２とカム受け面４３とが一致し、外カム２０の側面による、回転子４０の周方向の移動の規制は、解除される。
【００３３】
図７（ｄ）は、筆記状態のノック機構１０の模式図である。図７（ｃ）の状態から操作部３０の押圧を解除すると、操作部３０及び回転子４０は、スプリング６の付勢力によって後退する。このとき、外カム２０の側面による、回転子４０の周方向の移動は規制されていないことから、回転子４０は、外カム２０の斜面から分力を受けて、周方向（前方から見たときに反時計回り）に回転する。すなわち、回転子４０の内カム４６は、外カム２０の斜面を、第３突起部２４の前端部側面に当接するまで移動する。その結果、内カム４６は外カム２０と係合して後退が妨げられ、回転子４０に当接されたリフィル５を介して筆記部５ａは、軸筒４から突出する状態に保たれるので、筆記が可能となる。
【００３４】
一方、筆記具１のノック機構１０の筆記状態から非筆記状態への切り替えは、図７（ｄ）の状態から操作部３０を再び押圧することによって行われる。すなわち、操作部３０を押圧することによって、内カム４６の後端部が前後方向において外カム２０の第３突起部２４を越える。次いで、操作部３０の押圧を解除すると、操作部３０及び回転子４０は、スプリング６の付勢力によって後退する。すなわち、操作部３０の係止突起部３１及び回転子４０の内カム４６は、ガイド溝２１内を後方に移動し、停止し、非筆記状態となる。このとき、カム面３２及びカム受け面４３の斜面を介した周方向の分力によって、操作部３０の係止突起部３１は、図７（ａ）に示されるように外カム２０の被係止凹部２５内に収容される。
【００３５】
図８は、ノック操作と操作部３０の操作荷重との関係を示す概念図である。横軸は、操作部３０の前後方向の位置を示し、「ＯＦＦ」は非筆記状態の位置であり、「ＯＮ」は筆記状態の位置である。縦軸は、操作部３０の前後方向の位置に対応する操作部３０の操作荷重である。実線Ａは、ばね定数が従来の半分のスプリング６を用いた本発明による筆記具１の関係を示し、破線Ｂは、ばね定数が従来と同様のスプリング６を用いた本発明による筆記具１の関係を示し、点線Ｃは、従来の筆記具の関係を示している。
【００３６】
従来の筆記具を示す点線Ｃを参照すると、操作部３０の位置と操作荷重とは略比例関係である。これに対し、同様のばね定数のスプリング６を有する本発明による筆記具１を示す破線Ｂを参照すると、操作部３０を移動させる初動において、より大きな操作荷重を必要とする。すなわち、スプリング６の全長が最も長い非筆記状態（ＯＦＦ）において、スプリング６の付勢力に抗するための操作荷重は最も小さいが、操作部３０と外カム２０との係止を解除するために大きな操作荷重を必要とする。したがって、従来の半分のばね定数のスプリング６を有する本発明による筆記具１を示す実線Ａにおいても、操作部３０を移動させる初動において、破線Ｂの本発明による筆記具１と同様の傾向を示している。
【００３７】
操作部３０と外カム２０との係止を解除した後、筆記状態（ＯＮ）となるまで操作部３０を移動させるためには、破線Ｂの本発明による筆記具１と点線Ｃの従来の筆記具とでは、同様の傾向を示している。すなわち、操作荷重は、スプリング６の付勢力に相当し、最もスプリングが収縮する筆記状態において必要とされる操作荷重は、操作部３０の初動時の操作荷重と略等しいか又はこれよりも小さい。他方、実線Ａの本発明による筆記具１によれば、最もスプリングが収縮する筆記状態において必要とされる操作荷重は、操作部３０の初動時の操作荷重の略半分である。
【００３８】
図７（ｂ）及び図８を参照しながら上述したように、本発明による筆記具１は、非筆記状態において、操作部３０を移動させる初動においてより大きな操作荷重を必要とする。それによって、非筆記状態において、操作部３０が意図せず移動することを防止することが、簡単な機構で以て実現可能となる。さらに、操作部３０を、当該筆記具１で筆記した描線、文字等を擦過して消去可能な材料で形成し、消去部として構成した場合、擦過動作時には、安定した擦過動作を行うことが可能となる。すなわち、筆記具１を持ち替えて操作部３０を筆記面に対して押圧して擦過動作を行っても、操作部３０ががたつくことがない。
【００３９】
また、通常、こうした擦過動作は、筆記具１を筆記面に対して傾斜させた姿勢で行われる。したがって、擦過動作時の傾斜した筆記具１の操作部３０には、前後方向に対して傾斜した方向の押圧力が加わる。筆記具１では、上述したように、４つの外カム２０の被係止凹部２５に対して、８つのうちの４つの係止突起部３１が係止し、これらは周方向に等間隔に設けられている。これらの係止は、主に、対応する４つの係止斜面３５及び被係止斜面２６間の摩擦力に起因する。操作部３０に対する傾斜した押圧力の方向は、４つの係止斜面３５及び被係止斜面２６の組み合わせのうちのいずれかの１つに対して垂直又は垂直に近い角度となる。したがって、操作部３０に対して、軸線に沿った前方への押圧力が加わるより、傾斜した押圧力が加わる方が、初動時に必要な操作荷重が大きくなることから、より安定した擦過動作を行うことが可能となる。なお、外カム２０の数及び操作部３０の係止突起部３１の数は、任意に設定可能であるが、多い方が、傾斜させる方向に対する依存性は低くなる。
【００４０】
さらに、リフィル５を後方へ付勢するスプリング６のばね定数を従来よりも小さくすると、意図せず筆記部５ａが軸筒４の先端から突出することが防止しつつ、インク中の気泡の発生に起因する筆記不良を防止することができる。すなわち、筆記状態から非筆記状態への切り替えの際に、リフィル５は、スプリング６の付勢力によって勢いよく後方へ移動し、その停止時に衝撃が加わる。リフィル５内に、特に、粘度の低いインクや剪断減粘性インクを収容している場合には、その衝撃によってインクが後退し、筆記部よりリフィル５中に空気が混入する可能性がある。この場合、インク中に気泡が生じ、筆記不良を引き起こす虞がある。本発明によれば、スプリング６のばね定数を従来よりも小さくできることから、筆記状態から非筆記状態への切り替えの際にリフィル５に加わる衝撃を最小限に抑え、インク中の気泡の発生を抑制することが可能となる。
【００４１】
初動時に必要な操作荷重は、外カム２０の被係止凹部２５の形状、例えば被係止斜面２６の傾きや斜面の面積を調整することによって任意に変更可能であり、同様に、操作部３０の係止突起部３１の形状、例えば係止斜面３５の傾きや斜面の面積を調整することによって任意に変更可能である。それによって、操作荷重の最大値を、ノック操作の後半ではなく、初動時に調整することが可能である。操作部３０の係止突起部３１の一部及び外カム２０の被係止凹部２５の形状は、相補的でなくても互いに係止可能であれば任意の形状を採用可能である。また、外カム２０の被係止凹部２５の代わりに、周方向の凹部ではなく凸部を設けることによって、操作部３０の係止突起部３１と係止させ、同様の効果を奏するようにしてもよい。この場合、操作部３０の係止突起部３１の代わりに凹部としてもよい。図９及び図１０を参照しながら、外カム２０の被係止凹部２５の変形例及び操作部３０の係止突起部３１の変形例について説明する。
【００４２】
図９は、本発明の別の実施形態による筆記具１の後軸１０３の後端部分の拡大縦断面図である。図９に示された後軸１０３の後端部の内面には、図４に示された外カム２０と同様に、ノック機構１０の一部を構成する４つの外カム１２０が周方向に等間隔に設けられている。図９に示された外カム１２０は、図４に示された外カム２０とは、被係止凹部の形状、特に被係止凹部の前側の内面の形状のみ異なる。すなわち、図９に示された外カム１２０には、図４に示された外カム２０と同様に、被係止凹部１２５が形成されているが、外カム１２０の被係止凹部１２５の前側の内面は、部分的に被係止斜面１２６が形成されている。言い換えると、被係止凹部１２５の底面又は側面１２７に対して、前後方向に対して垂直な前面１２８が接続され、次いで被係止斜面１２６が接続されている。
【００４３】
被係止凹部１２５内に、被係止斜面１２６に加えて前面１２８を形成することで、非筆記状態において操作部３０を移動させる初動時の操作荷重の調整に関し、設計上の選択肢が多くなる。
【００４４】
図１０は、本発明の別の実施形態による筆記具１の操作部１３０の斜視図である。図１０に示された操作部１３０の前側の外周面には、図５に示された操作部３０と同様に、８つの係止突起部１３１が周方向に等間隔に設けられている。図１０に示された操作部１３０は、図５に示された操作部３０とは、係止突起部の形状、特に係止突起部の前端面の形状のみ異なる。すなわち、図５に示された係止突起部３１の前端面には、前後方向に対して垂直な平面と、前端面に対して周方向に傾斜した係止斜面３５とが形成されているが、図１０に示された係止斜面１３５の前端面には、前後方向に対して垂直な平面はなく、係止斜面１３５のみが形成されている。
【００４５】
係止斜面１３５の前端面に係止斜面１３５のみを形成することで、非筆記状態において操作部３０を移動させる初動時の操作荷重の調整に関し、設計上の選択肢が多くなる。
【００４６】
図１１は、操作部２３０が消去部材２５０を備えた態様を説明する筆記具２０１の縦断面図である。図１１に示された操作部２３０の外形は、図１に示された筆記具１における操作部３０の外形と同様であるが、操作部２３０は、消去部として機能する消去部材２５０を有する。消去部材２５０は、操作部２３０の後端部に嵌合することによって取り付けられ、操作部２３０を覆う筒状の部材である。消去部材２５０は、嵌合でなく、二色成形や接着によって操作部２３０に取り付けられるようにしてもよい。
【００４７】
図１２は、操作部３３０が別の消去部材３５０を備えた態様を説明する筆記具３０１の縦断面図である。図１２に示された操作部３３０の外形は、図１に示された筆記具１における操作部３０の外形と同様であるが、操作部３３０は、消去部として機能する円柱状の消去部材３５０を有する。消去部材３５０は、図１に示された操作部３０よりも前後方向に短く形成された操作部３３０の後端に対して、接着又は二色成形等によって取り付けられている。言い換えると、操作部３３０の一部が消去部として機能している。
【００４８】
本実施形態における筆記体であるリフィル５は、熱変色性インクを収容してもよい。この場合、筆記具１は熱変色性筆記具であり、消去部である摩擦体によって擦過した際に生じる摩擦熱によって、筆記具１の筆跡を熱変色可能である。なお、筆記体として、熱変色インクを収容したボールペン、熱変色芯を収容したシャープペンシル、鉛筆ホルダ等を使用することもできる。
【００４９】
ここで、熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。したがって、描線が筆記された筆記面等に対して消去部としての摩擦体によって擦過して摩擦熱を生じさせ、それによって描線を無色に変化、すなわち消去させる。なお、当然のことながら上記第２色は、無色以外の有色でもよい。
【００５０】
消去部を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。消去部は、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって消去部は、擦過時に消しカスが生じにくく、熱変色性も優れているので有効である。
【００５１】
なお、本発明における「消去」とは、上記熱変色性インクを用いた場合以外にも、筆記した描線、文字等を消しゴム等の消去部で吸着又は削ぎ落とすことをいう。したがって、本発明は、筆記した描線を、消去部を用いて消去する任意の筆記具にも適用可能である。
【符号の説明】
【００５２】
１    筆記具
４    軸筒
２０    外カム
２１    ガイド溝
３０    操作部
３１    係止突起部
３２    カム面
４０    回転子
４３    カム受け面
４６    内カム
【図１】
2018103631.tif 000003
【図２】
2018103631.tif 000004
【図３】
2018103631.tif 000005
【図４】
2018103631.tif 000006
【図５】
2018103631.tif 000007
【図６】
2018103631.tif 000008
【図７】
2018103631.tif 000009
【図８】
2018103631.tif 000010
【図９】
2018103631.tif 000011
【図１０】
2018103631.tif 000012
【図１１】
2018103631.tif 000013
【図１２】
2018103631.tif 000014
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
軸筒と、
該軸筒内に配置された筆記体と、
該軸筒の内面に設けられた突起部からなる複数の外カムであって、前記突起部が前後方向に延在し且つ周方向に配置されて、前記複数の外カムの間に前後方向に延在するガイド溝が画成される外カムと、
前記ガイド溝内を前後方向に移動可能に構成された係止突起部が外周面に設けられた操作部であって、前端面にカム面が形成された操作部と、
前記ガイド溝内を前後方向に移動可能に構成された内カムが外周面に設けられた回転子であって、後端面に前記カム面と相補的な形状のカム受け面が形成された回転子と、
を具備し、
前記カム面が前記カム受け面を押圧することによって前記回転子が回転し、前記内カムが前記外カムと係合する筆記状態と前記内カムが前記ガイド溝内に収容される非筆記状態とが切り替え可能なノック式筆記具であって、
非筆記状態から筆記状態への切り替えにおいて、ノック操作の初動時に操作荷重が最大であり、
前記操作部の全部又は一部が、当該ノック式筆記具の筆跡を消去可能な消去部であり、
当該ノック式筆記具が熱変色性インクを有するノック式筆記具であり、前記消去部によって擦過した際に生じる摩擦熱によって前記熱変色性インクによる筆跡を熱変色可能であることを特徴とするノック式筆記具。
【請求項２】
前記非筆記状態において、前記操作部の前記係止突起部が、前記外カムの前記突起部の側面に形成された凹部と係止しており、前記操作部の前記係止突起部又は前記外カムの前記凹部に、前後方向に対して垂直な面及び斜面が形成され、ノック操作の初動時に、前記斜面が前記係止突起部を前記ガイド溝内へ案内することを特徴とする請求項１に記載のノック式筆記具。